(57)【要約】【課題】  液体洗剤、入浴剤、シャンプー、リンス、油脂等の詰替え用袋は柔軟で取扱い難く、切断した開口部からの小さいボトルの口への注入は難しく、内容液を無駄にしたくないと切に思う消費者にとっては袋自体をしごいて絞り出そうとするがボトル外への液漏れを起こすなど、詰替え作業が煩わしいという問題点があったので、この詰替え作業を円滑に行うことができるようにした新規な詰替え用袋に取付ける詰替え口を提供する。【解決手段】  ２枚のプラスチックフィルムを接着して流路部６を設け、その流路部に接する２枚のプラスチックフィルム内面に夫々、接着テープ部３ａ、３ｂと非接着部１０ａ、１０ｂを設けた詰替え口１であって、内容液入り詰替え用袋１３の抽出口１５の開口部に対して接着テープ部３ａ、３ｂを被覆させて貼り付け、抽出口の流路１６を容易に延長できるようにした。【選択図】図５
2011195195.tif 000002
【特許請求の範囲】
【請求項１】
２枚のプラスチックフィルムを接着して流路部を設け、その流路部に接する２枚のプラスチックフィルム内面に夫々、接着テープ部と非接着部を設けた詰替え口であって、詰替え用袋の開口部に対して接着テープ部を被覆して貼り付けて流路を延長できるようにしたことを特徴とする詰替え口。
【請求項２】
上記流路部は、２枚のプラスチックフィルムの２辺を接着することによって形成したことを特徴とする請求項１の詰替え口。
【請求項３】
上記接着テープ部は、流路部を形成した接着部の接着端部に接する２枚のプラスチックフィルム内面の夫々に、剥離ライナー付き接着テープを取付けたことを特徴とする請求項１の詰替え口。
【請求項４】
上記接着テープ部には、流路部を形成する接着端部を除く、接着端部の間に、接着テープ側に流路が入り込むように非接着部を設けたことを特徴とする請求項１の詰替え口。
【請求項５】
流路部に、パイプを挿入して取付けたことを特徴とする請求項２の詰替え口。
【発明の詳細な説明】
【技術分野】
【０００１】  本発明は、液体洗剤、入浴剤、シャンプー、リンス、油脂等の詰替え用袋に取付ける詰替え口に関する。
【背景技術】
【０００２】  液体洗剤、入浴剤、シャンプー、リンス、油脂等は、通常プラスチックボトルやガラス瓶に詰められて販売され、そのまま使用できるようになっている。このプラスチックボトル等に詰められた液体洗剤等を使い切った場合は、改めて新しい内容液入りのプラスチックボトル等を購入することはできるが、このボトル等を再使用するために内容液入りの詰替え用袋での販売が一般化されていて、省資源化の目的で多く用いられる傾向にある。
【先行技術文献】
【特許文献】
【０００３】
【特許文献１】特開２００８−７４４７９号  公報
【特許文献２】特開２００９−５７０７１号  公報
【発明の概要】
【発明が解決しようとする課題】
【０００４】  従前から使用されている詰替え用袋は、一般的にプラスチックフィルムを貼り合わせて形成されており、特許文献１、特許文献２に開示された詰替え用袋は、袋本体上部の一部に設けられた抽出口を切断して開口し、この開口部をボトル等の口にあてがったり差し込んだりして詰替え作業がなされる。このプラスチックフィルムによって作成された詰替え用袋は柔軟で取扱い難く、その抽出口は短くて切断した開口部からの小さいボトルの口への注入は難しく、詰替え作業ではボトルと詰替え袋を保持しつつ注意深く、ゆっくりと行わなければならず、ある程度の技量も必要であった。また、内容液をこぼさないよう抽出口をボトル内により深く差し込もうとすると、流路の閉塞状態を生じやすくなるなど、円滑に行えないという問題点があった。特に、粘性のある溶液の詰替え作業においては、袋内に内溶液が残りやすいので、内容液を無駄にしたくないと切に思う消費者にとってはいらだちを感じることとなり、袋自体をしごいて絞り出そうとするので、往々にしてボトルの外に液漏れをさせてしまうとか、ボトルを転倒させてしまうなどのトラブルも起きていた。
本発明は、この詰替え作業を円滑に行うことができるようにした新規な詰替え用袋に取付けて使用できる詰替え口を提供することを目的とする。
【課題を解決するための手段】
【０００５】  この目的を達成するために、本発明の詰替え用袋の詰替え口は、２枚のプラスチックフィルムを接着して流路部を設け、その流路部に接する２枚のプラスチックフィルム内面に夫々、接着テープ部と非接着部を設けた詰替え口であって、詰替え用袋の開口部に対して接着テープ部を被覆させ貼り付けて流路を延長できるようにしたことを特徴とする。【０００６】    上記流路部は、２枚のプラスチックフィルムの２辺を接着することによって形成したことを特徴とする。上記接着テープ部は、流路部を形成した接着部の接着端部に接する２枚のプラスチックフィルム内面の夫々に、剥離ライナー付き接着テープを取付けたことを特徴とする。上記接着テープ部には、流路部を形成する接着端部を除く、接着端部の間に、接着テープ側に流路が入り込むように非接着部を設けたことを特徴とする。また、上記流路部には、流路の閉塞を防止して液体の流れをよりスムーズにするためにパイプを挿入して取付けることが望ましい。
【発明の効果】
【０００７】  本発明によれば、詰替え口の取付けは、詰替え用袋の開口部に対して接着端部まで接着テープ部を被覆させて貼り付けるという至って簡単なものであり、流路部が接続延長されることによってボトルの口に長い流路部を差し込むことができ、詰替え作業を円滑に行うことができるという効果がある。また、非接着部があることによって、開口部が接着テープ部で接着端部まで完全に被覆されなかった場合や、開口部を手でカットするタイプで直線的に開けられてなかった場合でも、２枚の接着テープ部どうしがくっついて閉塞を起こすことがなく、液漏れも起こさずに流路を接続することができ、詰替え口の取付けを容易にすることができるという効果がある。【０００８】  詰替え用袋に詰替え口を取付けて使用すると、詰替え開始時は勿論のこと、最後に残った内容液を絞り出そうとしたときでもボトルの外への液漏れが起こり難くなるなど、詰替え作業がスムーズになることで、時間の短縮ができるなど煩わしさを解消できる効果がある。接着テープ部はシンプルで柔軟性があるので、従前から使用されている多種の詰替え用袋の抽出口に適用して取付けることができる。また、詰替え袋の中身を一度に詰めない場合は、簡単にクリップなどで詰替え口を挟んで保管することができる。
【図面の簡単な説明】
【０００９】
【図１】本発明の実施形態を示す詰替え口の平面図
【図２】図１におけるＡ−Ａ断面図
【図３】図１におけるＢ−Ｂ断面図
【図４】図１におけるＣ−Ｃ断面図
【図５】本発明の取付け状態を示す平面図
【図６】図５における接着テープ部の貼付け準備状態のＤ−Ｄ断面図
【図７】図５における片方の接着テープ部貼付け状況のＤ−Ｄ断面図
【図８】図５における他方の接着テープ部貼付け状況のＤ−Ｄ断面図
【図９】図５における取付け完了状態のＤ−Ｄ断面図
【図１０】本発明による実施例を示す詰替え口の平面図
【図１１】本発明の他の取付け状態を示す平面図
【図１２】本発明の詰替え口付き詰替え用製品の模式図
【発明を実施するための形態】
【００１０】  以下、本発明の実施の形態を図１〜図４に基づいて説明する。
図１に示すように詰替え口１は、主として２枚の方形状のプラスチックフィルム２ａ、２ｂおよび接着テープ部３ａ、３ｂの部品で構成される。２枚のプラスチックフィルム２ａ、２ｂは、接着テープ部を除く２辺を熱接着して接着部５ａ、５ｂを作成し、流路部６を形成する。接着端部７ａ、７ｂに接するプラスチックフィルム２ａ、２ｂの内面の夫々には、剥離ライナー８ａ、８ｂ付きの接着テープ９ａ、９ｂを取付けて接着テープ部３ａ、３ｂを設ける。接着テープ部３ａ、３ｂには、流路部６を形成する接着端部７ａ、７ｂに接する部分を除く接着端部間に、流路が接着テープ側に入り込むように非接着部１０ａ、１０ｂを設ける。
【００１１】  ここで、接着部５ａ、５ｂは、熱接着の替わりに接着剤又は接着テープ等により実施されてもよい。接着テープ９ａ、９ｂは、接着テープ貼り付けの替わりに接着剤の塗布で実施されてもよい。剥離ライナー８ａ、８ｂは、非接着部１０ａ、１０ｂを被覆した形状とするか、非接着部をかたどった接着テープ９ａ、９ｂと同じ形状にするか、いずれでもよい。非接着部を被覆した形状にすれば、被覆部分が剥離ライナーの摘み部として利用できる。
【００１２】  また、流路の閉塞が生じることなく液体の流れをよりスムーズにするため、流路部６には流路の略全長にわたってパイプ４を挿入し、プラスチックフィルム２ａと熱接着等を行うことによって固定部１２で取付けるのが望ましい。なお、パイプ４は流路の非接着部１０ａ、１０ｂの近傍に短いパイプを取付けることとしてもよい。
【実施例】
【００１３】  以下、本発明の実施例を説明する。
図５は本発明の詰替え口１を詰替え用袋１３に取付けた状態を示した平面図であり、切断線部１４で開口された詰替え用袋の抽出口１５に接着テープ部３ａ、３ｂを被覆させて貼り付け、抽出口の流路１６と詰替え口の流路部６を接続している。図６〜図９の断面図は詰替え口１を抽出口１５に取付ける過程を示しており、まず図６に示すように詰替え口１の摘み部１１ａ、１１ｂを開き、二股状になっている接着テープ部３ａ、３ｂの剥離ライナー８ａ、８ｂの間に抽出口１５を挟み込み、切断線部１４が接着端部７ａ、７ｂに接するようにできるだけ奥まで被覆させる。次に図７に示すようにその詰替え口１と抽出口１５との位置関係を保ちながら、片方の剥離ライナー８ａを剥がして接着テープ９ａを抽出口１５に貼り付ける。その後図８に示すように他方の剥離ライナー８ｂを剥がして接着テープ９ｂを抽出口１５に貼り付けると、図９のように抽出口の流路１６と詰替え口の流路部６が接続されて取付け完了状態となる。【００１４】  図６において切断線部１４が接着端部７ａ、７ｂに完全に接していなかったり、図７において詰替え口１と抽出口１５の位置関係が若干ずれてしまったりして、接着テープ部が完璧に開口部を被覆していなかった場合では、接着端部の場所では接着テープ９ａ、９ｂどうしが接着されるので液の横漏れを起こすことはなく、一方、流路においては非接着部１０ａ、１０ｂがあることによって接着テープどうしがくっつくことはないので、閉塞を起こすことなく流路の接続を確実することができる。したがって、詰替え用袋の開口部に対して接着テープ部を接着端部まで完璧に被覆する必要はないので、詰替え口の取付け作業はたいへん容易である。【００１５】  図１０は本発明の詰替え口を複数個まとめて量産する場合の実施例の平面図を示す。個々の詰替え口の断面は図２〜図４と同様である。２枚のプラスチックフィルム１７ａ、１７ｂは所要の複数個分の広さとし、接着テープ部を除く、詰替え口単品幅の間隔になるように熱接着することによって接着部１８ａ、１８ｂ、１８ｃ、１８ｄ、・・・を作成し、流路部１９ａ、１９ｂ、１９ｃ、・・・が形成される。接着端部２０ａ、２０ｂ、２０ｃ、２０ｄ、・・・に接するプラスチックフィルム１７ａ、１７ｂの内面の夫々には接着テープ部２１ａ、２１ｂとして複数個分の長さの剥離ライナー付き接着テープを貼り付ける。接着テープ部２１ａ、２１ｂには、流路部を形成している接着端部２０ａ、２０ｂ、２０ｃ、２０ｄ、・・・に接する部分を除く接着端部間に、流路が接着テープ側に入り込むように非接着部２４ａ、２４ｂ、２４ｃ、２４ｄ、２４ｅ、２４ｆ、・・・を設ける。そして、切取り線２５ａ、２５ｂ、２６ｃ、・・・で切取れば複数個の詰替え口が完成する。ここで、接着部１８ａ、１８ｂ、１８ｃ、１８ｄ、・・・は、熱接着の替わりに接着剤又は接着テープ等により実施されてもよい。接着テープ部の接着テープ２３ａ、２３ｂは、接着テープ貼り付けの替わりに接着剤の塗布で実施されてもよい。剥離ライナー２２ａ、２２ｂは、非接着部を被覆した形状とするか、非接着部をかたどった接着テープと同じ形状にするか、いずれでもよい。なお、製作工程の順序としては、接着テープ部の作成後に接��部を作成することとしてもよい。【００１６】  また、図１０において、流路部６には流路の略全長にわたってパイプ２６ａ、２６ｂ、２６ｃ、・・・を挿入し、プラスチックフィルム１７ａと熱接着等を行うことによって固定部２７ａ、２７ｂ、２７ｃ、・・・で取付けてもよい。流路部に挿入するパイプは、一般的に多用されているストローを使用するのが経済的であり、機能上も有効な材料である。ストローは潰れやすいので、接着テープ部の貼り付け作業を阻害することはなく、また、復元力があるので抽出口の流路を広げて閉塞を防ぐように作用する。ストローは流路全長にわたった長さにすれば、ボトル等に差し込んだ詰替え口の芯の様になり詰替え用袋の保持に有用である。【００１７】  図１１は、特に抽出口が設けられておらず上方角部を切断して開口部を作成するタイプの詰替え用袋２８に、本発明を取付けた場合を示したものである。詰替え用袋の上方角部を切断線２９で切取って抽出口とする場合でも、本発明の詰替え口１の取付け方法は前述の図６〜図９の説明と同様である。また、詰替え口を取付けたことにより、詰替え袋の内容液を一度に詰めない場合は、図１１に示すように簡単にクリップ３０などで挟んで保管しておくことができる。また、図１２に示すように、本発明の詰替え口を内容液入りの詰替え用袋に添付すれば詰替え口付き詰替え用製品として提供することができ、詰替え用製品の利用促進にも役立てることができる。この場合、詰替え口の添付態様には特に制限はなく、詰替え口１を詰替え用内容液３２が充填された袋３１に剥離可能に貼りつけてもよく、詰替え用の内容液３２が充填された袋３１と共に一つのパッケージに収容してもよい。
【符号の説明】
【００１８】１              詰替え口
２ａ、２ｂ      プラスチックフィルム
３ａ、３ｂ      接着テープ部
４              パイプ
５ａ、５ｂ      接着部
６              流路部
７ａ、７ｂ      接着端部
８ａ、８ｂ      剥離ライナー
９ａ、９ｂ      接着テープ
１０ａ、１０ｂ  非接着部
１１ａ、１１ｂ  摘み部
１２            固定部
１３            詰替え用袋
１４            切断線部
１５            抽出口
１６            抽出口の流路
【図１】
2011195195.tif 000003
【図２】
2011195195.tif 000004
【図３】
2011195195.tif 000005
【図４】
2011195195.tif 000006
【図５】
2011195195.tif 000007
【図６】
2011195195.tif 000008
【図７】
2011195195.tif 000009
【図８】
2011195195.tif 000010
【図９】
2011195195.tif 000011
【図１０】
2011195195.tif 000012
【図１１】
2011195195.tif 000013
【図１２】
2011195195.tif 000014